(57)【特許請求の範囲】
【請求項１】
防水性の材質で膨張及び収縮可能に形成されると共に、使用者の腕を覆う腕被覆部及び脚を覆う脚被覆部を含んで構成されて使用者の全身を収容可能な救命具本体部と、
前記救命具本体部における股の位置に開閉可能に形成され使用者が出入り可能な出入口部と、
を有し、
使用状態で前記出入口部が前記救命具本体部の内部に位置している救命具。
【請求項２】
前記救命具本体部には、紐状又はフック状の命綱部材が設けられている請求項１に記載の救命具。
【請求項３】
前記命綱部材は、前記出入口部と接続されており、前記命綱部材に張力が作用した際に前記出入口部に閉塞する方向の力を加える請求項２に記載の救命具。
【請求項４】
前記救命具本体部には、使用者が空気を吹き込む吹込部、吹き込まれた空気により音を発生させる音発生部、及び逆止弁を備えたホイッスルが取付けられており、
前記吹込部が前記救命具本体部の内部に位置しており、前記音発生部が前記救命具本体部の外部に位置している請求項１〜３の何れか１項に記載の救命具。
【発明の詳細な説明】
【技術分野】
【０００１】
本発明は、救命具に関する。
【背景技術】
【０００２】
特許文献１には、使用者の首を挿入して使用する携帯式津波救命具が開示されている。この救命具では、使用者の首から上のみに装着される。一方、特許文献２には、使用者の全身を覆って密閉する救命具が開示されている。この救命具では、使用状態で使用者の頭部上方に出入口となるチャックとジッパーが設けられている。
【先行技術文献】
【特許文献】
【０００３】
【特許文献１】特開２０１５−３７１１号公報
【特許文献２】特開２０１４−１２４９５５号公報
【発明の概要】
【発明が解決しようとする課題】
【０００４】
しかしながら、上記特許文献１に記載された救命具では、首元から水が浸入した場合に呼吸が困難となる可能性がある。また、上記特許文献２に記載された救命具では、頭部上方にチャックとジッパーが設けられているため、外力などによってチャック及びジッパーが開いた際に、使用者の頭部へ水が浸入することとなり、呼吸が困難となる可能性がある。
【０００５】
本発明は上記事実を考慮し、水害時でも使用者が呼吸可能な救命具を得ることを目的とする。
【課題を解決するための手段】
【０００６】
請求項１に記載の救命具は、防水性の材質で膨張及び収縮可能に形成されると共に、使用者の腕を覆う腕被覆部及び脚を覆う脚被覆部を含んで構成されて使用者の全身を収容可能な救命具本体部と、前記救命具本体部における股の位置に開閉可能に形成され使用者が出入り可能な出入口部と、を有し、使用状態で前記出入口部が前記救命具本体部の内部に位置している。
【０００７】
請求項１に記載の救命具では、救命具本体部は、防水性の材質で膨張及び収縮可能に形成されている。また、救命具本体部は、使用者の腕を覆う腕被覆部及び脚を覆う脚被覆部を含んで構成されており、使用者の全身を収容可能となっている。これにより、使用者は、救命具本体部によって全身が覆われた状態であっても、歩行及び腕を動かすことが可能となる。また、非使用時には、救命具本体部を収縮させた状態で携帯することができる。
【０００８】
ここで、救命具本体部における股の位置には、出入口部が開閉可能に形成されており、この出入口部から使用者が出入り可能となっている。これにより、使用者が出入口部から救命具本体部の内部に入って出入口部を閉塞すれば、水の浸入を抑制することができる。また、万が一、外力などによって出入口部に隙間が生じた場合であっても、股の部分から水が浸入するため、例えば、救助されるまでの間、使用者の呼吸が妨げられずに済む。なお、ここでいう「膨張及び収縮可能」とは、素材自体は伸縮せずに、内部に空気を入れることで膨らむ構成を含む概念である。また、素材の一部が多少伸縮する構成であってもよい。
さらに、出入口部が救命具本体部の内部に位置しているため、この出入口部が直接水流に接触せずに済み、水の浸入を抑制することができる。また、使用者が救命具本体部の内部から出入口部を視認して出入口部の状態を把握することができる。
【０００９】
請求項２に記載の救命具は、請求項１において、前記救命具本体部には、紐状又はフック状の命綱部材が設けられている。
【００１０】
請求項２に記載の救命具では、建物の一部や地面に立設された柱などに命綱部材を掛けることで、水害時に水に流されるのを抑制することができる。
【００１１】
請求項３に記載の救命具は、請求項２において、前記命綱部材は、前記出入口部と接続されており、前記命綱部材に張力が作用した際に前記出入口部に閉塞する方向の力を加える
【００１２】
請求項３に記載の救命具では、命綱部材を建物及び柱などに掛けた状態で水流から力を受けている場合、命綱部材に張力が作用する。このとき、出入口部に対して閉塞する方向の力が加えられるので、出入口部から水が浸入するのを効果的に抑制することができる。
【００１５】
請求項４に記載の救命具は、請求項１〜３の何れか１項において、前記救命具本体部には、使用者が空気を吹き込む吹込部、吹き込まれた空気により音を発生させる音発生部、及び逆止弁を備えたホイッスルが取付けられており、前記吹込部が前記救命具本体部の内部に位置しており、前記音発生部が前記救命具本体部の外部に位置している。
【００１６】
請求項４に記載の救命具では、使用者がホイッスルの吹込部から空気を吹き込むことで、救助者に対して居場所を知らせることができる。また、逆止弁によってホイッスルから救命具本体部の内部へ水が浸入するのを抑制することができる。
【発明の効果】
【００１７】
以上説明したように、本発明に係る救命具によれば、水害時でも使用者が呼吸することができる。
【図面の簡単な説明】
【００１８】
【図１】参考例に係る救命具の概略図であり、非使用状態を示す図である。
【図２】参考例の変形例に係る救命具の概略図であり、使用状態を示す図である。
【図３】参考例に係る救命具を示す概略図である。
【図４】参考例に係る救命具を示す概略図であり、出入口部を持ち上げた状態を示す図である。
【図５】第１実施形態に係る救命具の非使用状態を一部破断して示す概略図である。
【図６】第１実施形態に係る救命具の使用状態を一部破断して示す概略図である。
【図７】第１実施形態に係る救命具の一部を拡大して示す要部拡大図である。
【図８】第１実施形態に係る救命具の概略断面図であり、使用状態を示す図である。
【図９】第２実施形態に係る救命具の一部を拡大して示す要部拡大断面図であり、（Ａ）にはホイッスルの非使用状態が示され、（Ｂ）にはホイッスルの使用状態が示されている。
【図１０】第３実施形態に係る救命具の一部を拡大して示す要部拡大断面図であり、（Ａ）には正面図が示され、（Ｂ）には断面図が示されている。
【図１１】第１実施形態に係る救命具を折り畳んだ状態を示す概略図である。
【発明を実施するための形態】
【００１９】
＜参考例＞
参考例に係る救命具１０について、図面を参照して説明する。
【００２０】
図１に示されるように、本参考例に係る救命具１０は、救命具本体部１２と、命綱部材１４とを含んで構成されている。
【００２１】
救命具本体部１２は、ナイロン及びポリエチレン等を主成分とする防水性の材質で略袋状に形成されており、内部に使用者（人）が入り込むことができるように構成されている。すなわち、本参考例の救命具本体部１２は、使用者の全身を収容可能な大きさに形成されている。なお、救命具本体部１２は、防水性を備えていれば他の材質で形成してもよく、例えば、ゴアテックス（登録商標）などで形成してもよい。
【００２２】
救命具本体部１２は、使用者の腕を覆う腕被覆部１６、使用者の脚を覆う脚被覆部１８、及び使用者の頭部を覆う頭部被覆部２０を備えている。腕被覆部１６は、左右に一対設けられており、それぞれ先端部に手の形状に対応した手被覆部１７が設けられている。このため、使用者は、腕被覆部１６に腕を通した状態であっても、手被覆部１７に手を入れることで、外部の物を掴んだりすることができるように構成されている。
【００２３】
脚被覆部１８は、左右に一対設けられており、使用者が脚を通すことができるように構成されている。また、頭部被覆部２０は、使用者の頭部に対応する形状に形成されており、使用者が頭部を入れることができるように構成されている。ここで、頭部被覆部２０の前部又は一部は、視界を確保するために透明に形成されている。透明な部分は、素材自体を透明にしてもよい。また、曇り止めの表面処理を施したプラスチックなどの材質で形成してもよい。
【００２４】
ここで、救命具本体部１２は、使用者の使用中に周囲に対して不安感を払拭するためのデザインが施されている。例えば、本参考例の救命具本体部１２は、かぐや姫などの和装のキャラクターをイメージしたデザインが施されており、頭部被覆部２０には顔のイラストが描画されている。
【００２５】
また、救命具本体部１２は、腕被覆部１６と頭部被覆部２０との間に、空気を保持可能な第１空気溜まり部２２が設けられている。さらに、腕被覆部１６と脚被覆部１８との間には、空気を保持可能な第２空気溜まり部２４が設けられている。第１空気溜まり部２２及び第２空気溜まり部２４は、空気が入り込むことで膨張し、空気が抜けることで収縮する。
【００２６】
救命具本体部１２には、使用者が出入り可能な出入口部２６が設けられている。出入口部２６は、救命具本体部１２における股の位置に開閉可能に形成されており、開口部２６Ａと、開口部２６Ａを閉塞するためのファスナー２６Ｂとを含んで構成されている。
【００２７】
開口部２６Ａは、左右の脚被覆部１８を広げた際に、使用者が出入り可能な大きさに形成されている。また、ファスナー２６Ｂは、開口部２６Ａの縁に沿って形成されており、線ファスナー又は面ファスナーによって構成されている。好ましくは、ファスナー２６Ｂは、防水ファスナー又は止水ファスナーによって構成されている。
【００２８】
救命具本体部１２には、命綱部材１４が設けられている。本参考例の命綱部材１４は一例として、略紐状に形成されており、命綱部材１４の一端部は、救命具本体部１２における一方の肩口に固定されている。また、命綱部材１４の他端部は、救命具本体部１２における他方の肩口に固定されている。そして、命綱部材１４の一端部と他端部との間の部分は、頭部被覆部２０の上方に略アーチ状に形成されており、フックなどが引掛けられる形状に形成されている。
【００２９】
また、図１に示される救命具１０では、救命具本体部１２の肩口から脚被覆部１８の先端まで上下に高剛性部２８が設けられている。高剛性部２８は、左右一対設けられて救命具本体部１２よりも高剛性の材質で形成されており、命綱部材１４に張力が作用した際に、命綱部材１４と救命具本体部１２との固定部に作用する荷重の一部を負担する構成となっている。
【００３０】
（使用例）
次に、本参考例の救命具１０の使用例について説明する。先ず、使用者は、救命具本体部１２に形成された出入口部２６の開口部２６Ａを開いた状態で歩いたり走ったりすることで開口部２６Ａから救命具本体部１２の内部に空気を送り込む。強風時には、開口部２６Ａを風上へ向けることによって救命具本体部１２へ空気を送り込んでもよい。
【００３１】
救命具本体部１２へ空気を送り込むことで、救命具本体部１２が膨張する。そして、使用者は、開口部２６Ａから救命具本体部１２の内部に入り込む。このとき、第２空気溜まり部２４によって手足を移動させるための空間が形成されているため、容易に腕被覆部１６及び脚被覆部１８に腕及び脚を通すことができる。
【００３２】
使用者が救命具本体部１２の内部に入り込んだ後、ファスナー２６Ｂを閉めて密閉させる。このとき、使用者が手を手被覆部１７に入れておくことで、ファスナー２６Ｂを閉める動作を容易に行うことができる。
【００３３】
（作用）
次に、本参考例の作用を説明する。
【００３４】
本参考例に係る救命具１０では、使用者は、腕被覆部１６及び脚被覆部１８によって救命具本体部１２によって全身が覆われた状態であっても、歩行及び腕を動かすことが可能となる。
【００３５】
また、非使用時には、救命具本体部１２を収縮させた状態で携帯することができるため、外出先で津波などの水害が発生した場合であっても、救命具１０を使用することができる。例えば、図１１には、救命具１０をショッピングバッグとして使用している状態が示されている。図１１に示す状態では、救命具１０が所定の手順で折り畳まれており、命綱部材１４が使用者Ｐの肩に掛けられている。また、出入口部２６が上方へ向けられた状態となっており、この出入口部２６から救命具１０の内部に荷物を入れることで、バッグとして機能する。
【００３６】
また、本参考例では、使用者が出入口部２６から救命具本体部１２の内部に入って出入口部２６を閉塞すれば、水の浸入を抑制することができる。また、万が一、外力などによって出入口部２６に隙間が生じた場合であっても、股の部分から水が浸入するため、例えば、救助されるまでの一定期間の間、使用者の呼吸が妨げられずに済む。このようにして、水害時でも使用者が呼吸可能となる。
【００３７】
特に、本参考例では、第１空気溜まり部２２及び第２空気溜まり部２４に空気が保持可能なとなっている。これにより、救命具本体部１２を密閉した状態であっても、一定の期間は不自由なく呼吸を行うことができる。例えば、酸素欠乏症を回避するためには酸素濃度が１８％以上である環境が好ましく、救命具本体部１２の内部の容積が０．３３ｍ３程度確保されていれば、密閉後２０分程度は酸素濃度が１８％を下回らない。
【００３８】
また、本参考例の救命具１０は命綱部材１４を備えている。これにより、命綱部材１４を建物の一部、及び地面に立設された柱などに掛けることで、水害時に水に流されるのを抑制することができる。
【００３９】
さらに、本参考例の救命具１０は、目立ちやすいキャラクターがデザインされていることから、救助者が見つけ易い。例えば、上空からヘリコプターなどで捜索する際でも、比較的見つかり易く、フックなどを命綱部材１４に引掛けることで、救助することができる。
【００４０】
さらにまた、本参考例の救命具１０は、股の位置に出入口部２６が設けられているため、例えば、水害が収まった後などの状況で排泄を行う際に、出入口部２６の開口部２６Ａを開くだけで排泄することができ、使用者の下半身が周囲に見られずに済む。
【００４１】
なお、図２に示される変形例の命綱部材３２を採用してもよい。
【００４２】
（変形例）
変形例に係る救命具３０は、参考例と外観が異なるが、命綱部材３２を除いて参考例と同様の構成とされている。
【００４３】
命綱部材３２は、腰から背部を通って股をくぐるように配設されており、出入口部２６の両端に接続されている。具体的には、命綱部材３２は、連続する第１綱部３２Ａ、第２綱部３２Ｂ及び第３綱部３２Ｃを含んで構成されている。第１綱部３２Ａは、救命具本体部１２の首の後ろを通って両方の肩口から前方へ延出され、折り返されて腰部へ延びている。第２綱部３２Ｂは、第１綱部３２Ａと連続して股の間から前方へ延出されて出入口部２６の端部を貫通して上方へ延びている。第３綱部３２Ｃは、第２綱部３２Ｂから連続して柱１００に掛けられており、左右の第１綱部３２Ａに掛け渡されている。
【００４４】
柱１００は、建物の一部であってもよく、地面に立設されたポールなどでもよい。例えば、ガードレールの一部でもよい。そして、命綱部材３２は、上記のように構成されているため、柱１００に掛けられた状態で第３綱部３２Ｃが引っ張られると、第２綱部３２Ｂを介して出入口部２６が折り曲げられた状態で上方へ持ち上げられる。すなわち、本変形例の命綱部材３２は、張力が作用した際に前記出入口部に閉塞する方向の力を加えるように構成されている。
【００４５】
変形例の救命具３０によれば、命綱部材３２を柱１００などに掛けることで、水害時に水に流されるのを抑制することができる。また、命綱部材３２を柱１００に掛けた状態で水流から力を受けることで、命綱部材３２に張力が作用する。これにより、出入口部２６に対して閉塞する方向の力が加えられるので、出入口部２６から水が浸入するのを効果的に抑制することができる。
【００４６】
＜参考例＞
次に、参考例に係る救命具３４について、図３、４を参照して説明する。なお、図１及び図２の参考例と同様の構成については、同じ符号を付し、適宜説明を省略する。
【００４７】
図３に示されるように、本参考例の救命具３４は、図１及び図２の参考例とデザインされたキャラクターが異なるが、同様の機能を備えている。すなわち、救命具３４は、救命具本体部１２と命綱部材３６とを含んで構成されており、救命具本体部１２には出入口部３８が設けられている。
【００４８】
ここで、本参考例の命綱部材３６は、出入口部３８と接続されており、命綱部材３６に張力が作用した際に出入口部３８に閉塞する方向の力を加えるように構成されている。具体的には、出入口部３８は、救命具本体部１２の股の位置に設けられており、使用者が出入り可能な開口部３８Ａと、開口部３８Ａを閉塞するための開閉部３８Ｂとを含んで構成されている。また、開閉部３８Ｂは、開口部３８Ａよりも上方に位置している。
【００４９】
一方、命綱部材３６は、第１綱部３６Ａ及び第２綱部３６Ｂを含んで構成されている。第１綱部３６Ａは、左右両方の肩口から腰部へ延在されており、首の後側と腰部の後側でそれぞれ繋がっている。
【００５０】
第２綱部３６Ｂは、上部が第１綱部３６Ａに掛け渡されており、下部が開閉部３８Ｂに通されている。この際、開閉部３８Ｂでは、第２綱部３６Ｂを左右に引っ張ることで開閉部３８Ｂが閉塞するように配策されている。
【００５１】
（作用）
次に、本参考例の作用を説明する。
【００５２】
本参考例では、使用者が救命具本体部１２に入りこんだ後、命綱部材３６の第２綱部を左右に引っ張ることで開閉部３８Ｂが閉塞される。これにより、救命具本体部１２が密閉されて水の浸入を抑制することができる。
【００５３】
また、本参考例では、開閉部３８Ｂが開口部３８Ａよりも上方に位置している。このため、開口部３８Ａを閉塞する構成と比較して、より効果的に水の浸入を抑制することができる。
【００５４】
さらに、本参考例では、使用者が図３の状態からさらに第２綱部３６Ｂを左右に引っ張ると、図４に示されるように出入口部３８が上方へ持ち上げられる。これにより、出入口部３８を水から遠ざけることができる。なお、図４では、使用者が第２綱部３６Ｂを交差して引っ張っているが、交差させずに図３の状態からさらに左右に引っ張っても同様に出入口部３８を上方へ持ち上げることができる。その他の作用については上記参考例と同様である。
【００５５】
＜第１実施形態＞
次に、第１実施形態に係る救命具４０について、図５〜８を参照して説明する。なお、上記参考例と同様の構成については、同じ符号を付し、適宜説明を省略する。図５に示されるように、本実施形態の救命具４０は、使用状態で出入口部４２が救命具本体部１２の内部に位置している点で上記参考例と異なっている。
【００５６】
本実施形態の救命具４０は、救命具本体部１２と命綱部材４４とを含んで構成されており、救命具本体部１２の内部には出入口部４２が設けられている。出入口部４２は、救命具本体部１２の股に位置に開閉可能に形成されており、救命具本体部１２の内部に開口された開口部４２Ａが設けられている。
【００５７】
また、出入口部４２には、開口部４２Ａを開閉可能な開閉部４２Ｂが設けられている。開閉部４２Ｂには、後述する開閉ロープ４６が通されている。
【００５８】
図６に示されるように、命綱部材４４は、使用者Ｐの肩口から斜めに延在されており、首の後側と腰部の後側でそれぞれ繋がっている。また、命綱部材４４は、腰部で腰ベルト４８と繋がっている。腰ベルト４８は、腰部の周囲に設けられており、さらに腰部から前方へ延出されたベルト部４８Ａを備えている。ベルト部４８Ａの先端にはフック４８Ｂが取り付けられており、このフック４８Ｂによってガードレールなどに連結することができるように構成されている。なお、図５では腰ベルト４８の図示を省略している。
【００５９】
開閉ロープ４６は、出入口部４２の開閉部４２Ｂに通されて開口部４２Ａを開閉させるための紐状の部材であり、腕が通される挿通部４６Ａと、挿通部４６Ａから下方へ延在されて開閉部４２Ｂに通された張力付与部４６Ｂとを含んで構成されている。このため、使用者Ｐが両腕をそれぞれの挿通部４６Ａに挿通した後、両腕を上げることで、張力付与部４６Ｂが左右に引っ張られて開閉部４２Ｂが縛られることで開口部４２Ａが閉塞される。
【００６０】
ここで、図７に示されるように、開閉ロープ４６の張力付与部４６Ｂにはそれぞれ固定フック４９が設けられている。固定フック４９は、出入口部４２を縛って上方へ持ち上げた状態で腰ベルト４８の高さに位置するように設けられている。このため、使用者Ｐが両腕を上げて開閉部４２Ｂを縛った状態で固定フック４９を腰ベルト４８に引掛けることで、開閉ロープ４６が緩むのを抑制できるように構成されている。なお、固定フック４９を腰ベルト４８に引掛ける際には、使用者Ｐが救命具本体部１２の内部で腕を腕被覆部１６から抜いて行う。
【００６１】
（作用）
次に、本実施形態の作用を説明する。
【００６２】
本実施形態の救命具４０によれば、図６に示されるように、出入口部４２が救命具本体部１２の内部に位置しているため、この出入口部４２が直接水流に接触せずに済み、水の浸入を抑制することができる。また、使用者Ｐが救命具本体部１２の内部から出入口部４２を視認して出入口部４２の状態を把握することができる。例えば、開閉部４２Ｂが緩んでいる場合には、開閉ロープ４６を引っ張るなどの対応をとることができる。
【００６３】
また、本実施形態では、開閉ロープ４６が設けられているため、使用者Ｐが両腕を上げるだけで出入口部４２の開口部４２Ａを閉塞させることができ、複雑な操作が不要となる。このとき、図７に示されるように、固定フック４９を腰ベルト４８に引掛けることで、開閉部４２Ｂを閉塞した状態を容易に維持することができる。
【００６４】
さらに、本実施形態では、図８に示されるように、命綱部材４４を柱１００に掛けた状態で水流から図中矢印の方向に力を受けた場合に左右の脚被覆部１８の間のウォーターガードとして機能する部分が変形した場合であっても、出入口部４２に水流から圧力が作用しない構造となっている。なお、救命具本体部１２の初期状態を図中の二点鎖線で示している。
【００６５】
さらにまた、出入口部４２が股の位置に設けられているため、図８のように水流によって股の方向が水流の下流側に向けられる。これにより、出入口部４２の近傍は負圧となり、水が浸入しにくくなる。その他の作用については上記参考例と同様である。
【００６６】
＜第２実施形態＞
次に、第２実施形態に係る救命具５０について、図９を参照して説明する。なお、上記参考例と同様の構成については、同じ符号を付し、適宜説明を省略する。
【００６７】
図９（Ａ）に示されるように、本実施形態の救命具５０は、ホイッスル５２が設けられている点を除いて第１実施形態と同様の構成とされている。このため以下の説明では、ホイッスル５２についてのみ説明する。
【００６８】
ホイッスル５２は、主として、吹込部５２Ａ、音発生部５２Ｂ及び逆止弁５８を含んで構成されている。吹込部５２Ａは、使用者Ｐが口でくわえて空気を送り込む場所であり、頭部被覆部２０の内側に位置している。また、吹込部５２Ａは、非使用時には、カバー部材５４でカバーされている。カバー部材５４は、吹込部５２Ａに取り付けられる取付部５４Ａを備えており、この取付部５４Ａは、ヒンジ部５４Ｂによってホイッスル５２と繋がれている。取付部５４Ａは、使用者Ｐが口でくわえて、又は手を使って取り外すことができる。図９（Ｂ）に示されるように、取付部５４Ａは、取り外された状態でもヒンジ部５４Ｂによってホイッスル５２に繋がれているため、紛失することがない。
【００６９】
吹込部５２Ａには、逆止弁５８が設けられている。逆止弁５８は、使用者Ｐから外側へ向かう空気のみを通すように構成されており、例えば、ダイアフラム型の逆止弁などを用いることができる。
【００７０】
音発生部５２Ｂは、頭部被覆部２０の外部に位置している。音発生部５２Ｂには、孔部５２Ｃが形成されている。また、音発生部５２Ｂの内部には、球体５６が設けられており、使用者Ｐから吹き込まれた空気によって球体５６が揺動することで孔部５２Ｃから音が発生する。
【００７１】
（作用）
次に、本実施形態の作用を説明する。
【００７２】
本実施形態では、使用者Ｐがホイッスル５２を用いて音を発生させることで、救助者に対して使用者Ｐの居場所を知らせることができる。また、逆止弁５８によってホイッスル５２から救命具本体部１２の内部へ水が浸入するのを抑制することができる。その他の作用については第１実施形態と同様である。
【００７３】
＜第３実施形態＞
次に、第３実施形態に係る救命具６０について、図１０を参照して説明する。なお、第１実施形態と同様の構成については、同じ符号を付し、適宜説明を省略する。
【００７４】
図１０（Ａ）及び図１０（Ｂ）に示されるように、本実施形態の救命具６０は、払拭機構６４が設けられている点を除いて第１実施形態と同様の構成とされている。このため以下の説明では、払拭機構６４についてのみ説明する。
【００７５】
本実施形態の救命具本体部１２における頭部被覆部２０には、使用者Ｐの目に対応する位置に左右一対のレンズ６２が設けられている。例えば、レンズ６２はそれぞれ、曇り止めなどの表面加工が施されている。
【００７６】
本実施形態の払拭機構６４は、ロッド部材６４Ａ、払拭部材６４B及び操作部６４Ｃを含んで構成されている。ロッド部材６４Ａは、上下方向に延在された長尺状の部材であり、ロッド部材６４Ａの上端部が頭部被覆部２０における頭頂部の上方で回動可能に固定されている。また、ロッド部材６４Ａの下端部には、後述する操作部６４Ｃが設けられている。
【００７７】
操作部６４Ｃよりも上方には、払拭部材６４Bが設けられている。払拭部材６４Bは、例えばスポンジ及び不織布などによって形成されており、ロッド部材６４Ａの周囲に固定されている。また、払拭部材６４Bは、初期位置で左右のレンズ６２の間に位置している。
【００７８】
操作部６４Ｃは、使用者Ｐの鼻の孔に引掛けられる形状に形成されている。そして、使用者Ｐが操作部６４Ｃを鼻の孔に引掛けた状態で、頭部を左右に動かすことで、ロッド部材６４Ａが左右に移動して払拭部材６４Bがレンズ６２の内面を摺動する。これにより、レンズ６２の内面の曇りが除去される。
【００７９】
（作用）
次に、本実施形態の作用を説明する。
【００８０】
本実施形態では、曇り止めの表面処理が施されたレンズ６２が設けられているため、使用者Ｐの視界を良好に維持することができる。また、万が一、レンズ６２が曇った場合には、払拭機構６４を用いてレンズ６２を払拭することができるため、視界が損なわれるのを抑制することができる。
【００８１】
特に、本実施形態では、使用者Ｐが払拭機構６４を装着した状態で頭部を左右に移動させるだけでレンズ６２の曇りを払拭することができるため、手を使うことができない状況でも視界を良好に維持することができる。その他の作用については第１実施形態と同様である。
【００８２】
（補足説明）
以上、実施形態及び変形例について説明したが、本発明の要旨を逸脱しない範囲において、種々なる態様で実施し得ることは勿論である。例えば、上記実施形態では、和装の女性のキャラクターを描画したが、これに限定されない。例えば、男性のキャラクターを描画してもよく、災害時であっても心が和むデザインが好ましい。
【００８３】
また、上記実施形態を組み合わせてもよい。例えば、第１実施形態の救命具４０に対して、図９（Ａ）に示される第２実施形態のホイッスル５２を設けた構成としてもよい。
【００８４】
さらに、上記第２実施形態では、ホイッスル５２がカバー部材５４でカバーされた構成を説明したが、これに限定されない。例えば、カバー部材５４が無く、ホイッスル５２の吹込部５２Ａが露出した構成としてもよい。
【００８５】
また、ホイッスル５２の内部に水溶性のフィルムなどを配設してもよい。この場合、使用者が津波に流されて気を失った場合、ホイッスル５２から入り込んだ水によって水溶性フィルムが溶解することで、冷たい水が使用者Ｐの顔に当たり、使用者Ｐを気付かせることができる。また、水溶性フィルムは、通気性を有しているため、水溶性フィルムが溶解されていない場合でも使用者Ｐがホイッスル５２を使用することが可能となる。
【００８６】
さらに、上記第１実施形態において、開閉ロープ４６に小物入れ用の小袋を取付けてもよい。小袋に携帯電話及び貴重品などを入れて持ち運ぶことができる。
【００８７】
さらにまた、上記実施形態において、出入口部とは別に、緊急用の脱出口を備えた構成を採用してもよい。緊急用の脱出口は、例えば、救命具本体部における胸部の位置、又は首部の位置などに形成される。また、例えば、脱出口は、通常時には開かないように、縫い合わされており、使用者が救命具本体部の内側から縫い目に強い力を加えることで開く構造としてもよい。そして、万が一、股の出入口部から水が浸入するなどして、出入口部から出ることができなくなった際には、脱出口を開いて脱出することができる。
【符号の説明】
【００８８】
１０      救命具
１２      救命具本体部
１４      命綱部材
１６      腕被覆部
１８      脚被覆部
２６      出入口部
３０      救命具
３２      命綱部材
３４      救命具
３６      命綱部材
３８      出入口部
４０      救命具
４２      出入口部
４４      命綱部材
５０      救命具
５２      ホイッスル
５２Ａ    吹込部
５２Ｂ    音発生部
５８      逆止弁
６０      救命具
【要約】
【課題】水害時でも呼吸が可能な救命具を得る。
【解決手段】救命具１０は、防水性の材質で膨張及び収縮可能に形成されると共に、使用者の腕を覆う腕被覆部１６及び脚を覆う脚被覆部１８を含んで構成されて使用者の全身を収容可能な救命具本体部１２を備えている。また、救命具本体部１２における股の位置には、開閉可能な出入口部２６が形成されており、この出入口部２６から使用者が出入り可能となる。
【選択図】図１【図１】
0006906772.tif 000002
【図２】
0006906772.tif 000003
【図３】
0006906772.tif 000004
【図４】
0006906772.tif 000005
【図５】
0006906772.tif 000006
【図６】
0006906772.tif 000007
【図７】
0006906772.tif 000008
【図８】
0006906772.tif 000009
【図９】
0006906772.tif 000010
【図１０】
0006906772.tif 000011
【図１１】
0006906772.tif 000012